(57)【特許請求の範囲】
【請求項１】
無線通信機能とユーザがデータを入力する機能と前記入力されたデータの送信機能とを有する少なくとも１つの携帯情報装置と、
出力装置を有する少なくとも１つのデータ掲示装置と、
前記携帯情報装置と前記データ提示装置とが通信を行なう通信網とを、含む系におけるメッセージ交換方法であって、
前記携帯情報装置がユーザの入力したデータをデータ掲示装置に送信する送信段階と、
前記データ掲示装置が前記携帯情報装置から受信したデータを前記出力装置に出力する出力段階とを有するメッセージ交換方法において、
前記データ掲示装置は、出力装置に出力するデータの発信が許される場所を表す少なくとも１つの識別子を格納する発信場所データベースをもち、
前記出力段階では、
前記データを送信してきた携帯情報装置の発信場所を特定する段階と、
前記特定された場所を表す識別子と前記発信場所データベースに格納されている識別子とを照合する段階と、
前記特定された場所を表す識別子が前記発信場所データベースに格納されているいずれかの識別子と一致すると判断した場合、前記受信したデータに含まれている出力装置への出力用のデータを抽出する段階と、
前記抽出したデータを前記出力装置に出力する段階とを、有する
ことを特徴とするメッセージ交換方法。
【請求項２】
前記データ掲示装置は、出力装置に出力するデータの発信が許される場所を表す少なくとも１つの識別子を任意の記号として格納する発信場所データベースをもち、
前記送信段階の前に、
前記データ掲示装置または前記データ掲示装置が設置されている場所の近くに設置されている少なくとも１つの物体に前記発信場所データベースに格納されている前記記号と同一の記号をユーザから見えるように示す段階を有し、
前記送信段階では、
ユーザが前記示されている記号を前記携帯情報装置に入力し、前記携帯情報装置は前記入力された記号を発信場所識別子として送信するデータに付与してデータ掲示装置に送信し、
前記出力段階では、
前記送信されたデータの中から前記記号を抽出する段階と、
前記抽出された記号を発信場所識別子としこの発信場所識別子と前記発信場所データベースに格納されている識別子とを照合する段階と、
前記発信場所識別子が前記発信場所データベースに格納されているいずれかの識別子と一致すると判断した場合、前記受信したデータに含まれている出力装置への出力用のデータを抽出する段階と、
前記抽出したデータを前記出力装置に出力する段階とを、有する
ことを特徴とする請求項１記載のメッセージ交換方法。
【請求項３】
前記データ掲示装置は、
出力装置に出力するデータの発信が許される場所を表す少なくとも１つの識別子を格納する発信場所データベースと、
前記出力装置にデータの出力を行なうことを許されているユーザのユーザ識別子が格納されているユーザデータベースとをもち、
前記送信段階では、
ユーザがユーザに割り当てられているユーザ識別子を前記携帯情報装置に入力し、前記携帯情報装置は前記入力されたユーザ識別子を送信するデータに付与して前記データ掲示装置へ送信し、
前記出力段階では、
前記データを送信してきた携帯情報装置の発信場所を特定し、前記特定された場所を表す識別子と前記発信場所データベースに格納されている識別子とを照合する段階、ならびに前記送信されたデータに含まれているユーザ識別子と前記ユーザデータベースに格納されているユーザ識別子とを照合する段階と、
前記照合の結果、前記発信場所を表す識別子が前記発信場所データベースに格納されているいずれかの識別子と一致すると判断し、かつ前記ユーザ識別子が前記ユーザデータベースに格納されているいずれかの識別子と一致すると判断した場合、前記受信したデータに含まれている出力装置への出力用のデータを抽出する段階と、
前記抽出したデータを前記出力装置に出力する段階とを、有する
ことを特徴とする請求項１記載のメッセージ交換方法。
【請求項４】
前記データ掲示装置は、
出力装置に出力するデータの発信が許される場所を表す少なくとも１つの識別子を任意の記号として格納する発信場所データベースと、
前記出力装置にデータの出力を行なうことを許されているユーザのユーザ識別子が格納されているユーザデータベースとをもち、
前記送信段階の前に、
前記データ掲示装置または前記データ掲示装置が設置されている場所の近くに設置されている少なくとも１つの物体に前記発信場所データベースに格納されている前記記号と同一の記号をユーザから見えるように示す段階を有し、
前記送信段階では、
ユーザが前記示されている記号とユーザに割り当てられているユーザ識別子とを前記携帯情報装置に入力し、前記携帯情報装置は前記入力された記号を発信場所識別子として送信するデータに付与するとともに、前記入力されたユーザ識別子を送信するデータに付与して前記データ掲示装置に送信し、
前記出力段階では、
前記送信されたデータの中の記号を発信場所識別子としこの発信場所識別子と前記発信場所データベースに格納されている識別子とを照合する段階、ならびに前記送信されたデータに含まれているユーザ識別子と前記ユーザデータベースに格納されているユーザ識別子とを照合する段階と、
前記照合の結果、前記発信場所識別子が前記発信場所データベースに格納されているいずれかの識別子と一致すると判断し、かつ前記ユーザ識別子が前記ユーザデータベースに格納されているいずれかの識別子と一致すると判断した場合、前記受信したデータに含まれている出力装置への出力用のデータを抽出する段階と、
前記抽出したデータを前記出力装置に出力する段階とを、有する
ことを特徴とする請求項１記載のメッセージ交換方法。
【請求項５】
前記記号をユーザから見えるように示す段階では、
前記発信場所識別子として用いられている記号を生成し、前記発信場所データベースに格納されている記号と前記ユーザから見えるように示されている記号の両者を、前記生成した記号に更新する
ことを特徴とする請求項２または４記載のメッセージ交換方法。
【請求項６】
前記送信段階では、
ユーザがデータを出力させたいデータ掲示装置を指定する情報を前記携帯情報装置に入力し、前記携帯情報装置は前記指定されたデータ掲示装置ヘデータを送信する
ことを特徴とする請求項１から請求項５までのいずれか１項記載のメッセージ交換方法。
【請求項７】
無線通信機能を有する少なくとも１つの携帯情報装置と、
出力装置を有する少なくとも１つのデータ掲示装置と、
前記携帯情報装置と前記データ提示装置とが通信を行なう通信網とを含み、
前記データ掲示装置は、
前記携帯情報装置から受信したデータを前記出力装置に出力する出力手段を有することを特徴とするメッセージ交換システムにおいて、
前記データ掲示装置は、
出力装置に出力するデータの発信が許される場所であることを示す少なくとも１つの識別子を格納する発信場所データベースと、
データを送信してきた携帯情報装置の発信場所を特定する発信場所特定手段と、
前記特定された場所を表す識別子と前記発信場所データベースに格納されている識別子と照合する発信場所照合手段と、
前記受信したデータに含まれている前記出力装置への出力用のデータを抽出するデータ抽出手段とを、有し、
前記出力手段は、前記特定された場所を表す識別子が前記発信場所データベースに格納されているいずれかの識別子と一致すると前記発信場所照合手段により判断された場合に、前記出力装置に前記データ抽出手段が抽出したデータを出力するものである
ことを特徴とするメッセージ交換システム。
【請求項８】
前記データ掲示装置は、
出力装置に出力するデータの発信が許される場所を表す少なくとも１つの識別子を任意の記号として格納する発信場所データベースと、
前記データ掲示装置または前記データ掲示装置の近くに設置されている少なくとも１つの物体に前記発信場所データベースに格納されている前記記号と同一の記号をユーザから見えるように表示する記号表示装置とを、有し、
前記携帯情報装置は、
ユーザが入力した前記記号表示装置に表示されている記号を送信するデータに発信場所識別子として付与してデータ掲示装置に送信する手段を有し、
前記データ掲示装置は、
前記送信されたデータの中から前記記号を抽出して前記携帯情報装置の発信場所を特定する発信場所特定手段と、
前記抽出された記号を発信場所識別子としこの発信場所識別子と前記発信場所データベースに格納されている識別子とを照合する発信場所照合手段と、
前記受信したデータに含まれている前記出力装置への出力用のデータを抽出するデータ抽出手段とを、有し、
前記出力手段は、前記発信場所識別子が前記発信場所データベースに格納されているいずれかの識別子と一致すると前記発信場所照合手段により判断された場合に、前記出力装置に前記データ抽出手段が抽出したデータを出力するものである
ことを特徴とする請求項７記載のメッセージ交換システム。
【請求項９】
前記データ掲示装置は、
出力装置に出力するデータの発信が許される場所を表す少なくとも１つの識別子を格納する発信場所データベースと、
前記出力装置にデータの出力を行なうことを許されているユーザのユーザ識別子が格納されているユーザデータベースとを、有し、
前記携帯情報装置は、
ユーザが入力した前記記号表示装置に表示されている記号を送信するデータに発信場所識別子として付与してデータ掲示装置に送信する手段を有し、
前記データ掲示装置は、
データを送信してきた携帯情報装置の発信場所を特定する発信場所特定手段と、
前記特定された場所を表す識別子と前記発信場所データベースに格納されている識別子と照合する発信場所照合手段と、
前記携帯情報装置から受信したデータに含まれているユーザ識別子を検出する手段と、
前記検出されたユーザ識別子と前記ユーザデータベースに格納されているユーザ識別子を照合するユーザ識別子照合手段と、
前記受信したデータに含まれている出力用のデータを抽出するデータ抽出手段とを有し、
前記出力手段は、前記発信場所を表す識別子が前記発信場所データベースに格納されているいずれかの識別子と一致すると前記発信場所照合手段により判断され、かつ、前記検出されたユーザ識別子が前記ユーザデータベースに格納されているいずれかの識別子と一致すると前記ユーザ識別子照合手段により判断された場合、前記出力装置に前記データ抽出手段により抽出されたデータを出力するものである
ことを特徴とする請求項７記載のメッセージ交換システム。
【請求項１０】
前記データ掲示装置は、
出力装置に出力するデータの発信が許される場所を表す少なくとも１つの識別子を任意の記号として格納する発信場所データベースと、
前記出力装置にデータの出力を行なうことを許されているユーザのユーザ識別子が格納されているユーザデータベースと、
前記データ掲示装置または前記データ掲示装置の近くに設置されている少なくとも１つの物体に前記発信場所データベースに格納されている前記記号と同一の記号をユーザから見えるように表示する記号表示装置とを、有し、
前記携帯情報装置は、
ユーザから入力された前記記号表示装置に表示された記号を発信場所識別子として送信するデータに付与するとともに、ユーザから入力された当該ユーザに割り当てられているユーザ識別子を送信するデータに付与してデータ掲示装置に送信する手段を有し、
前記データ掲示装置は、
前記送信されたデータの中から前記記号を抽出して前記携帯情報装置の発信場所を特定する発信場所特定手段と、
前記抽出された記号を発信場所識別子としこの発信場所識別子と前記発信場所データベースに格納されている識別子とを照合する発信場所照合手段と、
前記携帯情報装置から受信したデータに含まれているユーザ識別子を検出する手段と、
前記検出されたユーザ識別子と前記ユーザデータベースに格納されているユーザ識別子を照合するユーザ識別子照合手段と、
前記受信したデータに含まれている出力用のデータを抽出するデータ抽出手段とを有し、
前記出力手段は、前記発信場所識別子が前記発信場所データベースに格納されているいずれかの識別子と一致すると前記発信場所照合手段により判断され、かつ、前記検出されたユーザ識別子が前記ユーザデータベースに格納されているいずれかの識別子と一致すると前記ユーザ識別子照合手段により判断された場合、前記出力装置に前記データ抽出手段により抽出されたデータを出力するものである
ことを特徴とする請求項７記載のメッセージ交換システム。
【請求項１１】
前記データ掲示装置は、
前記発信場所識別子として用いられている記号を生成し、前記発信場所データベースに格納されている記号と前記記号表示装置に表示されている記号の両者を、前記生成した記号に更新する発信場所識別子更新装置を有する
ことを特徴とする請求項８または１０記載のメッセージ交換システム。
【請求項１２】
前記携帯情報装置は、
ユーザがデータを出力させたいデータ掲示装置を指定する情報を入力する手段と、
前記情報により指定されたデータ掲示装置ヘデータを送信する手段とを、有する
ことを特徴とする請求項７から請求項１１までのいずれか１項記載のメッセージ交換システム。
【請求項１３】
任意の記号により表された発信場所を表す識別子を格納し、前記格納された識別子としての記号をデータ掲示装置または前記データ掲示装置が設置されている場所の近くに設置されている少なくとも一つの物体に表示する段階と、
ユーザが携帯情報装置に入力することにより送信するデータに付加された前記掲示されている記号を前記送信されたデータから抽出する段階と、
前記抽出した記号と前記格納されている識別子とを照合し、一致すると判断された場合に、前記ユーザは前記データ掲示装置の近くから発信したと判定する段階とを、有する
ことを特徴とする発信場所判定方法。
【請求項１４】
前記発信場所を表す識別子として用いられる記号を生成し、前記発信場所を表す識別子として格納されている記号と前記表示されている記号の両者を、前記生成した記号に更新する段階を有する
ことを特徴とする請求項１３記載の発信場所判定方法。
【請求項１５】
記号表示装置が表示した記号を、ユーザが携帯情報装置に入力し、前記携帯情報装置が前記入力された記号を付加して送信したデータにより、ユーザの発信場所を特定する段階を有する
ことを特徴とする発信場所判定方法。
【請求項１６】
前記記号表示装置が表示する記号は逐次更新される
ことを特徴とする請求項１５記載の発信場所判定方法。
【請求項１７】
任意の記号により表された発信場所を表す識別子を格納する発信場所データベースと、
前記格納された識別子としての記号をデータ掲示装置または前記データ掲示装置が設置されている場所の近くに設置されている少なくとも一つの物体に表示する記号表示装置と、
ユーザが携帯情報装置に入力することにより送信するデータに付加された前記記号表示装置に表示されている記号を前記送信されたデータから抽出し、前記抽出した記号と前記発信場所データベースに格納されている識別子とを照合し、一致すると判断された場合に、前記ユーザは前記データ掲示装置の近くから発信したと判定する識別子照合手段とを、有する
ことを特徴とする発信場所判定部。
【請求項１８】
前記発信場所を表す識別子として用いられる記号を生成し、前記発信データベースに発信場所を表す識別子として格納されている記号と前記記号表示装置に表示されている記号の両者を、前記生成した記号に更新する発信場所識別子更新装置を有する
ことを特徴とする請求項１７記載の発信場所判定部。
【請求項１９】
記号表示装置が表示した記号を、ユーザが携帯情報装置に入力し、携帯情報装置が前記入力された記号を付加して送信したデータにより、ユーザの発信場所を特定する発信場所特定手段を有する
ことを特徴とする発信場所判定部。
【請求項２０】
前記記号表示装置が掲示する記号は逐次更新される
ことを特徴とする請求項１９記載の発信場所判定部。
【請求項２１】
請求項１３から請求項１６までのいずれか１項記載の発信場所判定方法における段階をコンピュータに実行させるためのプログラムを、
前記段階で使用されるコンピュータが読み取り可能である記録媒体に記録した
ことを特徴とする発信場所判定方法の実行プログラムを記録した記録媒体。
【発明の詳細な説明】
【０００１】
【発明の属する技術分野】
本発明は、複数のユーザでリアルタイムにデータのやりとりを行なうメッセージ交換システムあるいはメッセージ交換方法であって、携帯情報装置と無線通信と表示装置等の出力装置を用いて、ある特定の場所内にいるユーザ全てが前記特定の場所内にいるユーザが送信したメッセージをリアルタイム性高く取得することができるメッセージ交換システムおよびメッセージ交換方法に関する。
【０００２】
【従来の技術】
複数のユーザ間でリアルタイムにメッセージのやりとりを行なうメッセージ交換システムとして、パーソナルコンピュータ等のユーザの端末からからホストコンピュータに接続し、ホストコンピュータに書き込まれるメッセージを自分のパーソナルコンピュータで見ながら、ホストコンピュータに自分のメッセージを書き込むことにより、複数のユーザでメッセージのやりとりを行なうチャットシステムがある。
【０００３】
このチャットシステムは、雑談や情報交換、討論等、様々な目的に用いられている。通常、チャットシステムには、ある共通の話題をもつユーザが集まれるようにトピックが設定されていることが多い。例えば、「車に関すること」がトピックとして設定されている場合、車に関してメッセージのやりとりを行いたいユーザがそのチャットシステムを利用する。同じチャットシステムを利用するユーザは同じ話題を共有しているため、ユーザ間には親近感が生じ、コンピュータ上でのメッセージのやりとりだけではなく、チャットシステムのユーザで集まって実際に会って話し、親睦を深めることもあり、チャットシステムは単に情報の交換にとどまらず、新たなコミュニティの形成支援としても機能する。従来のチャットシステムでは、ユーザがいる場所に関係なくネットワークを介してメッセージのやりとりを行なえることが特徴である。
【０００４】
図１４は、従来のメッセージ交換システムの例を示す。従来のシステムは、有線ネットワーク１−２に接続されるサービス制御装置１４−１、複数の利用者装置１４−２−１，１４−２−２，１４−２−３から構成される。
【０００５】
図１５、図１６は、従来のメッセージ交換システムの動作を示す図である。
【０００６】
利用者装置１４−２−ｉ（ｉ＝１，２，３）は、ユーザからのメッセージ交換開始の指示を契機として、サービス制御装置１４−１ヘログイン信号を送信し（図１５の１５−１）、処理停止を表す処理停止フラグが立つかデータの受信があるまで待機する。処理停止フラグが立った場合（図１５の１５−２）、サービス制御装置１４−１ヘログアウト信号を送信し（図１５の１５−４）、処理を終了する。データを受信すると（図１５の１５−３）、受信データがサービス制御装置１４−１から送られてきたものかどうかをチェックし（図１５の１５−５）、そうであれば利用者装置１４−２−ｉの表示装置に書き込みデータとして受信データを表示し（図１５の１５−６）、処理停止フラグが立つかデータの受信があるまで待機する状態へ遷移する。受信データがサービス制御装置１４−１から送られてきた表示用のデータではない場合、受信データをユーザの書き込みメッセージとしてサービス制御装置１４−１へ送信し（図１５の１５−７）、処理停止フラグが立つかデータの受信があるまで待機する状態へ遷移する。
【０００７】
サービス制御装置１４−１は、まず、処理停止フラグが立つか（図１６の１６−１）、データの受信があるまで（図１６の１６−２）、待機する状態となる。処理停止フラグが立った場合、処理を終了する。データを受信した場合、受信データは利用者装置からのログイン信号であるかチェックする（図１６の１６−３）。ログイン信号であれば、ログイン信号を送信してきた利用者装置を接続利用者装置記憶メモリ１４−１−１へ登録し（図１６の１６−４）、処理停止フラグが立つかデータの受信があるまで待機する状態へ遷移する。受信データが利用者装置からのログイン信号でない場合、受信データが利用者装置からのログアウト信号であるかチェックする（図１６の１６−５）。ログアウト信号の場合は、ログアウト信号を送信してきた利用者装置を接続利用者装置記憶メモリ１４−１−１から削除し（図１６の１６−６）、処理停止フラグが立つかデータの受信があるまで待機する状態へ遷移する。受信データがログアウト信号でなければ、接続利用者記憶メモリ１４−１−１に登録されている利用者装置へ受信データをユーザの書き込みメッセージとして送信し（図１６の１６−７）、処理停止フラグが立つかデータの受信があるまで待機する状態へ遷移する。
【０００８】
近年では、サービス制御装置にメッセージが書き込まれる毎にサービス制御装置にログインしている端末ヘメッセージを送信することは行なわず、利用者装置側から定期的にサービス制御装置に更新されたメッセージをまとめて取りにいくといった、Ｗｅｂ上で提供されているチャットシステムも存在する。
【０００９】
【発明が解決しようとする課題】
同じ場所に集まっている人同士のメッセージ交換をするために、チャットシステムのトピックとして、例えば、同じ部屋にいる人や同じ駅前にいる人、同じイベント会場にいる人、のように同じ場所に集まっている人を設定することも可能である。この場合、比較的近い距離にいる人々がシステムを利用するので、すぐにユーザ同士で集まることができ、また、自分の書き込んだメッセージに対する周りの反応を肌で感じることができるため、大きな満足感が得られメッセージの書き込みが活発になり、コミュニティの形成をより支援できると考えられる。この際、ユーザが利用する端末は、固定された専用端末であるより、日常、他の目的（例えば、電話）にも利用できる携帯端末であるほうがユーザの利便性は高いので好ましい。
【００１０】
しかし、従来のチャットシステムを携帯端末で実現しようとした場合、以下の問題がある。
【００１１】
（１）図１４に示すように、ユーザがメッセージを発信している位置を特定する手段をもたないため、アクセスしているユーザのいる位置の特定ができず、ある限られた場所に存在する人たちのみメッセージの交換をすることは難しい。
【００１２】
（２）サービス制御装置にメッセージが書き込まれる都度、チャットシステムに接続している利用者装置に書き込まれたメッセージ等の更新情報を送信しなければならないので、サーバ負荷が高くかつ通信量が多くなり、ネットワーク負荷も高くなる。そのため、リアルタイム性が損なわれ、チャットの面白みが減少する。Ｗｅｂ上で実現されているチャットシステムのように、サービス制御装置にメッセージが書き込まれる毎ではなはなく、定期的に利用者装置から更新情報を取りにいく方法もあるが、メッセージの更新がリアルタイムで利用者装置に反映されない。また、メッセージの書き込みが行なわれなくても利用者装置とサービス制御装置間での通信が起こるため、ネットワークに無駄なトラフィックが発生する。
【００１３】
（３）端末の計算処理能力がパーソナルコンピュータのようには高くないことと、有線ネットワーク程の高速通信が難しい無線を介したデータの受信を伴うため難しく、携帯端末においてサービス制御装置から送られてくる更新情報を高速に表示することは難しい。
【００１４】
（４）携帯端末は表示エリアが小さいため、表示されたメッセージが読みにくい。
【００１５】
本発明は上述の問題を解決するためになされたものであり、メッセージの書き込み等の送信に伴う更新情報をサービス制御装置等から利用者装置へ送信することを不要とし、メッセージの提示のリアルタイム性を向上させることにより、インタラクティブ性が高く、メッセージが取得しやすいメッセージ交換方法およびシステムを実現することを課題とする。
【００１６】
【課題を解決するための手段】
上記課題を解決するため、本発明では、集まった人たちが取得しやすい位置でメッセージを提示する出力装置を設置し、各ユーザが携帯情報装置から送信したメッセージをその出力装置に逐次出力することにより、メッセージの書き込み等の送信に伴う更新情報をサービスを行う装置（データ掲示装置など）から当該ユーザの携帯情報装置へ送信することを不要とし、メッセージの出力のリアルタイム性を向上させることにより、インタラクティブ性が高く、メッセージが取得しやすいメッセージ交換方法およびシステムを実現する。
【００１７】
具体的には、本発明によるメッセージ交換方法は、無線通信機能とユーザがデータを入力する機能と前記入力されたデータの送信機能とを有する少なくとも１つの携帯情報装置と、出力装置を有する少なくとも１つのデータ掲示装置と、前記携帯情報装置と前記データ提示装置とが通信を行なう通信網とを、含む系におけるメッセージ交換方法であって、前記携帯情報装置がユーザの入力したデータをデータ掲示装置に送信する送信段階と、前記データ掲示装置が前記携帯情報装置から受信したデータを前記出力装置に出力する出力段階とを有するメッセージ交換方法において、
前記データ掲示装置は、出力装置に出力するデータの発信が許される場所を表す少なくとも１つの識別子を格納する発信場所データベースをもち、前記出力段階では、前記データを送信してきた携帯情報装置の発信場所を特定する段階と、前記特定された場所を表す識別子と前記発信場所データベースに格納されている識別子とを照合する段階と、前記特定された場所を表す識別子が前記発信場所データベースに格納されているいずれかの識別子と一致すると判断した場合、前記受信したデータに含まれている出力装置への出力用のデータを抽出する段階と、前記抽出したデータを前記出力装置に出力する段階とを、有することを特徴としている。
【００１８】
また、上記方法の発明においては、ユーザが入力するデータがテキストであるのが好適である。
【００１９】
また、以上の発明においては、前記携帯情報装置と前記データ掲示装置の通信に、インターネットプロトコル（ＩＰ）に基づいた通信を用いることが好適である。
【００２０】
また、以上の方法の発明においては、前記携帯情報装置と前記データ掲示装置の通信に、ダイヤルアップ接続を利用することが好適である。
【００２１】
また、以上の方法の発明においては、前記携帯情報装置と前記データ掲示装置の通信に、インターネットプロトコル（ＩＰ）に基づいた通信を行なうネットワークと前記ネットワークヘのダイヤルアップ接続とを利用することが好適である。
【００２２】
また、以上の方法の発明においては、前記携帯情報装置を、携帯電話またはＰＨＳ（登録商標：Ｐｅｒｓｏｎａｌ  ｈａｎｄｙ−Ｐｈｏｎｅ  ｓｙｓｔｅｍ）とすることが好適である。
【００２３】
また、以上の方法の発明においては、前記携帯情報装置を、携帯電話またはＰＨＳとし、前記携帯情報装置と前記データ掲示装置の通信において、移動体通信網上のプロトコルとインターネットプロトコル（ＩＰ）に基づいた通信プロトコルとの変換を行なうことが好適である。
【００２５】
また、以上の方法の発明において、前記データ掲示装置は、出力装置に出力するデータの発信が許される場所を表す少なくとも１つの識別子を任意の記号として格納する発信場所データベースをもち、前記送信段階の前に、前記データ掲示装置または前記データ掲示装置が設置されている場所の近くに設置されている少なくとも１つの物体に前記発信場所データベースに格納されている前記記号と同一の記号をユーザから見えるように示す段階を有し、前記送信段階では、ユーザが前記示されている記号を前記携帯情報装置に入力し、前記携帯情報装置は前記入力された記号を発信場所識別子として送信するデータに付与してデータ掲示装置に送信し、前記出力段階では、前記送信されたデータの中から前記記号を抽出する段階と、前記抽出された記号を発信場所識別子としこの発信場所識別子と前記発信場所データベースに格納されている識別子とを照合する段階と、前記発信場所識別子が前記発信場所データベースに格納されているいずれかの識別子と一致すると判断した場合、前記受信したデータに含まれている出力装置への出力用のデータを抽出する段階と、前記抽出したデータを前記出力装置に出力する段階とを、有することが好適である。
【００２７】
また、以上の方法の発明においては、前記携帯情報装置の発信場所を特定する段階では、前記データ送信時に前記通信網において少なくとも前記携帯情報装置周辺にあった少なくとも１つ以上の無線基地局の情報を用いることが好適である。
【００２８】
また、以上の方法の発明においては、前記携帯情報装置は位置検出機能をもち、前記データをデータ掲示装置ヘ送信する段階では、当該携帯情報装置の現在位置を求め、前記求められた位置情報を発信場所識別子として送信するデータに付与してデータを送信し、前記携帯情報装置の発信場所を特定する段階では、前記データに付与された当該携帯情報装置の現在位置を用いることが好適である。
【００２９】
また、本発明は、以上の方法の発明において、前記データ掲示装置が、前記出力装置にデータの出力を行なうことを許されているユーザのユーザ識別子が格納されているユーザデータベースをもち、前記送信段階では、ユーザがユーザに割り当てられているユーザ識別子を前記携帯情報装置に入力し、前記携帯情報装置は前記入力されたユーザ識別子を送信するデータに付与して前記データ掲示装置へ送信し、前記出力段階では、前記携帯情報装置から送信されたデータに含まれているユーザ識別子を検出する段階と、前記検出した識別子と前記ユーザデータベースに格納されているユーザ識別子を照合する段階と、前記検出した識別子がユーザデータベースに格納されているユーザ識別子のいずれかと一致すると判断した場合、前記受信したデータに含まれる出力装置への出力用のデータを抽出する段階と、前記抽出したデータを前記出力装置に出力する段階とを、有することを特徴としている。
【００３０】
また、以上の方法の発明において、前記データ掲示装置は、出力装置に出力するデータの発信が許される場所を表す少なくとも１つの識別子を格納する発信場所データベースと、前記出力装置にデータの出力を行なうことを許されているユーザのユーザ識別子が格納されているユーザデータベースとをもち、前記送信段階では、ユーザがユーザに割り当てられているユーザ識別子を前記携帯情報装置に入力し、前記携帯情報装置は前記入力されたユーザ識別子を送信するデータに付与して前記データ掲示装置へ送信し、前記出力段階では、前記データを送信してきた携帯情報装置の発信場所を特定し、前記特定された場所を表す識別子と前記発信場所データベースに格納されている識別子とを照合する段階、ならびに前記送信されたデータに含まれているユーザ識別子と前記ユーザデータベースに格納されているユーザ識別子とを照合する段階と、前記照合の結果、前記発信場所を表す識別子が前記発信場所データベースに格納されているいずれかの識別子と一致すると判断し、かつ前記ユーザ識別子が前記ユーザデータベースに格納されているいずれかの識別子と一致すると判断した場合、前記受信したデータに含まれている出力装置への出力用のデータを抽出する段階と、前記抽出したデータを前記出力装置に出力する段階とを、有することが好適である。
また、以上の方法の発明において、前記データ掲示装置は、出力装置に出力するデータの発信が許される場所を表す少なくとも１つの識別子を任意の記号として格納する発信場所データベースと、前記出力装置にデータの出力を行なうことを許されているユーザのユーザ識別子が格納されているユーザデータベースとをもち、前記送信段階の前に、前記データ掲示装置または前記データ掲示装置が設置されている場所の近くに設置されている少なくとも１つの物体に前記発信場所データベースに格納されている前記記号と同一の記号をユーザから見えるように示す段階を有し、前記送信段階では、ユーザが前記示されている記号とユーザに割り当てられているユーザ識別子とを前記携帯情報装置に入力し、前記携帯情報装置は前記入力された記号を発信場所識別子として送信するデータに付与するとともに、前記入力されたユーザ識別子を送信するデータに付与して前記データ掲示装置に送信し、前記出力段階では、前記送信されたデータの中の記号を発信場所識別子としこの発信場所識別子と前記発信場所データベースに格納されている識別子とを照合する段階、ならびに前記送信されたデータに含まれているユーザ識別子と前記ユーザデータベースに格納されているユーザ識別子とを照合する段階と、前記照合の結果、前記発信場所識別子が前記発信場所データベースに格納されているいずれかの識別子と一致すると判断し、かつ前記ユーザ識別子が前記ユーザデータベースに格納されているいずれかの識別子と一致すると判断した場合、前記受信したデータに含まれている出力装置への出力用のデータを抽出する段階と、前記抽出したデータを前記出力装置に出力する段階とを、有することが好適である。
また、以上の方法の発明においては、前記記号をユーザから見えるように示す段階では、前記発信場所識別子として用いられている記号を生成し、前記発信場所データベースに格納されている記号と前記ユーザから見えるように示されている記号の両者を、前記生成した記号に更新することが好適である。
【００３１】
また、以上の方法の発明において、前記出力段階の後に、前記出力装置に出力したデータを少なくとも前記出力したデータを送信したユーザのユーザ識別子とを関連づけて記録媒体に残す段階を有することが好適である。
【００３２】
また、以上の方法の発明においては、前記送信段階では、ユーザがデータを出力させたいデータ掲示装置を指定する情報を前記携帯情報装置に入力し、前記携帯情報装置は前記指定されたデータ掲示装置ヘデータを送信することが好適である。
【００３３】
また、以上の方法の発明において、前記抽出したデータを前記出力装置に出力する段階では、前記データの出力において前記出力装置の出力画面をスクロールすることが好適である。
【００３４】
また、本発明は、以上の方法の発明において、前記送信段階では、データ掲示装置に送信するデータに当該携帯情報装置の識別子を付与し、前記出力段階の後に、前記データ掲示装置が、前記携帯情報装置からのデータを受信後、前記受信したデータを送信した携帯情報装置を特定する段階と、前記受信したデータに対する処理結果を表す信号を前記特定した携帯情報装置に送信する段階とを、有することを特徴としている。
【００３５】
同じく、本発明によるメッセージ交換システムは、無線通信機能を有する少なくとも１つの携帯情報装置と、出力装置を有する少なくとも１つのデータ掲示装置と、前記携帯情報装置と前記データ提示装置とが通信を行なう通信網とを含み、前記データ掲示装置は、前記携帯情報装置から受信したデータを前記出力装置に出力する出力手段を有することを特徴とするメッセージ交換システムにおいて、
前記データ掲示装置は、出力装置に出力するデータの発信が許される場所であることを示す少なくとも１つの識別子を格納する発信場所データベースと、データを送信してきた携帯情報装置の発信場所を特定する発信場所特定手段と、前記特定された場所を表す識別子と前記発信場所データベースに格納されている識別子と照合する発信場所照合手段と、前記受信したデータに含まれている前記出力装置への出力用のデータを抽出するデータ抽出手段とを、有し、前記出力手段は、前記特定された場所を表す識別子が前記発信場所データベースに格納されているいずれかの識別子と一致すると前記発信場所照合手段により判断された場合に、前記出力装置に前記データ抽出手段が抽出したデータを出力するものであることを特徴としている。
【００３６】
また、上記の装置の発明においては、ユーザが入力するデータがテキストであることが好適である。
【００３７】
また、以上の装置の発明においては、前記携帯情報装置と前記データ掲示装置との通信において、インターネットプロトコル（ＩＰ）に基づいた通信を用いることが好適である。
【００３８】
また、以上の装置の発明においては、前記携帯情報装置と前記データ掲示装置の通信において、ダイヤルアップ接続を利用することが好適である。
【００３９】
また、以上の装置の発明においては、前記携帯情報装置と前記データ掲示装置の通信において、インターネットプロトコル（ＩＰ）に基づいた通信を用いるネットワークと前記ネットワークヘのダイヤルアップ接続とを利用することを特徴としている。
【００４０】
また、以上の装置の発明においては、前記携帯情報装置を携帯電話またはＰＨＳとすることが好適である。
【００４１】
また、以上の装置の発明においては、前記携帯情報装置を携帯電話またはＰＨＳとし、前記携帯情報装置と前記データ掲示装置の通信において、移動体通信網上のプロトコルと、インターネットプロトコル（ＩＰ）に基づいた通信プロトコルとの変換を行なうことが好適である。
【００４３】
また、以上の装置の発明においては、前記データ掲示装置は、出力装置に出力するデータの発信が許される場所を表す少なくとも１つの識別子を任意の記号として格納する発信場所データベースと、前記データ掲示装置または前記データ掲示装置の近くに設置されている少なくとも１つの物体に前記発信場所データベースに格納されている前記記号と同一の記号をユーザから見えるように表示する記号表示装置とを、有し、前記携帯情報装置は、ユーザが入力した前記記号表示装置に表示されている記号を送信するデータに発信場所識別子として付与してデータ掲示装置に送信する手段を有し、前記データ掲示装置は、前記送信されたデータの中から前記記号を抽出して前記携帯情報装置の発信場所を特定する発信場所特定手段と、前記抽出された記号を発信場所識別子としこの発信場所識別子と前記発信場所データベースに格納されている識別子とを照合する発信場所照合手段と、前記受信したデータに含まれている前記出力装置への出力用のデータを抽出するデータ抽出手段とを、有し、前記出力手段は、前記発信場所識別子が前記発信場所データベースに格納されているいずれかの識別子と一致すると前記発信場所照合手段により判断された場合に、前記出力装置に前記データ抽出手段が抽出したデータを出力するものであることが好適である。
【００４５】
また、以上の装置の発明においては、前記携帯情報装置の発信場所を特定する発信場所特定手段は、前記データ送信時に前記通信網において少なくとも前記携帯情報装置周辺にあった少なくとも１つ以上の無線基地局の情報を用いるものであることが好適である。
【００４６】
また、以上の装置の発明において、前記携帯情報装置は、前記データをデータ掲示装置ヘ送信するに際、当該携帯情報装置の現在位置を求める位置検出手段と、前記求められた位置情報を発信場所識別子として送信するデータに付与してデータを送信する手段をもち、前記携帯情報装置の発信場所を特定する発信場所特定手段は、前記データに付与された当該携帯情報装置の現在位置を用いるものであることが好適である。
【００４７】
また、本発明は、以上の装置の発明において、前記携帯情報装置は、ユーザがユーザに割り当てられているユーザ識別子を前記携帯情報装置に入力する手段と、前記入力されたユーザ識別子を送信するデータに付与して前記データ掲示装置へ送信する手段をもち、前記データ掲示装置は、前記出力装置にデータの出力を行なうことを許されているユーザのユーザ識別子が格納されているユーザデータベースと、前記携帯情報装置から送信されたデータに含まれているユーザ識別子を検出する手段と、前記検出されたユーザ識別子と前記ユーザデータベースに格納されているユーザ識別子を照合するユーザ識別子照合手段と、前記受信したデータに含まれている出力用のデータを抽出するデータ抽出手段と、前記受信したデータに含まれている出力用のデータを抽出する手段とを有し、前記出力手段は、前記検出されたユーザ識別子が前記ユーザデータベースに格納されているいずれかのユーザ識別子と一致すると前記ユーザ識別子照合手段により判断された場合、前記出力装置に前記データ抽出手段により抽出されたデータを出力するものであることを特徴としている。
【００４８】
また、以上の装置の発明において、前記データ掲示装置は、出力装置に出力するデータの発信が許される場所を表す少なくとも１つの識別子を格納する発信場所データベースと、前記出力装置にデータの出力を行なうことを許されているユーザのユーザ識別子が格納されているユーザデータベースとを、有し、前記携帯情報装置は、ユーザが入力した前記記号表示装置に表示されている記号を送信するデータに発信場所識別子として付与してデータ掲示装置に送信する手段を有し、前記データ掲示装置は、データを送信してきた携帯情報装置の発信場所を特定する発信場所特定手段と、前記特定された場所を表す識別子と前記発信場所データベースに格納されている識別子と照合する発信場所照合手段と、前記携帯情報装置から受信したデータに含まれているユーザ識別子を検出する手段と、前記検出されたユーザ識別子と前記ユーザデータベースに格納されているユーザ識別子を照合するユーザ識別子照合手段と、前記受信したデータに含まれている出力用のデータを抽出するデータ抽出手段とを有し、前記出力手段は、前記発信場所を表す識別子が前記発信場所データベースに格納されているいずれかの識別子と一致すると前記発信場所照合手段により判断され、かつ、前記検出されたユーザ識別子が前記ユーザデータベースに格納されているいずれかの識別子と一致すると前記ユーザ識別子照合手段により判断された場合、前記出力装置に前記データ抽出手段により抽出されたデータを出力するものであることが好適である。
また、以上の装置の発明において、前記データ掲示装置は、出力装置に出力するデータの発信が許される場所を表す少なくとも１つの識別子を任意の記号として格納する発信場所データベースと、前記出力装置にデータの出力を行なうことを許されているユーザのユーザ識別子が格納されているユーザデータベースと、前記データ掲示装置または前記データ掲示装置が設置されている場所の近くに設置されている少なくとも１つの物体に前記発信場所データベースに格納されている前記記号と同一の記号をユーザから見えるように表示する記号表示装置とを、有し、前記携帯情報装置は、ユーザから入力された前記記号表示装置に表示された記号を発信場所識別子として送信するデータに付与するとともに、ユーザから入力された当該ユーザに割り当てられているユーザ識別子を送信するデータに付与してデータ掲示装置に送信する手段を有し、前記データ掲示装置は、前記送信されたデータの中から前記記号を抽出して前記携帯情報装置の発信場所を特定する発信場所特定手段と、前記抽出された記号を発信場所識別子としこの発信場所識別子と前記発信場所データベースに格納されている識別子とを照合する発信場所照合手段と、前記携帯情報装置から受信したデータに含まれているユーザ識別子を検出する手段と、前記検出されたユーザ識別子と前記ユーザデータベースに格納されているユーザ識別子を照合するユーザ識別子照合手段と、前記受信したデータに含まれている出力用のデータを抽出するデータ抽出手段とを有し、前記出力手段は、前記発信場所識別子が前記発信場所データベースに格納されているいずれかの識別子と一致すると前記発信場所照合手段により判断され、かつ、前記検出されたユーザ識別子が前記ユーザデータベースに格納されているいずれかの識別子と一致すると前記ユーザ識別子照合手段により判断された場合、前記出力装置に前記データ抽出手段により抽出されたデータを出力するものであることが好適である。
また、以上の装置の発明においては、前記データ掲示装置は、前記発信場所識別子として用いられている記号を生成し、前記発信場所データベースに格納されている記号と前記記号表示装置に表示されている前記記号の両者を、前記生成した記号に更新する発信場所識別子更新装置を有することが好適である。
【００４９】
また、以上の装置の発明においては、前記データ掲示装置の出力装置に出力されたデータと少なくとも当該データを送信したユーザのユーザ識別子とを関連づけて記録媒体に残す手段を有することが好適である。
【００５０】
また、以上の装置の発明において、前記携帯情報装置は、ユーザがデータを出力させたいデータ掲示装置を指定する情報を入力する手段と、前記情報により指定されたデータ掲示装置ヘデータを送信する手段とを、有することが好適である。
【００５１】
また、以上の装置の発明において、前記データ掲示装置の出力手段は前記データの出力において前記出力装置の出力画面をスクロールするものであることが好適である。
【００５２】
また、本発明は、以上の装置の発明において、前記携帯情報装置は、前記データ掲示装置に送信するデータに当該携帯情報装置の識別子を付与する手段を有し、前記データ掲示装置は、受信したデータを送信した携帯情報装置を特定する手段と、前記受信したデータに対する処理結果を表す信号を前記特定した携帯情報装置に送信する手段とを、有することを特徴としている。
【００５３】
あるいは、前述のメッセージ交換方法における段階をコンピュータに実行させるためのプログラムを、前記段階で使用されるコンピュータが読み取り可能である記録媒体に記録したことを特徴としている。
同じく、本発明による発信場所判定方法は、任意の記号により表された発信場所を表す識別子を格納し、前記格納された識別子としての記号を携帯情報装置のデータ掲示装置または前記データ掲示装置が設置されている場所の近くに設置されている少なくとも一つの物体に表示する段階と、ユーザが携帯情報装置に入力することにより送信するデータに付加された前記掲示されている記号を前記送信されたデータから抽出する段階と、前記抽出した記号と前記格納されている識別子とを照合し、一致すると判断された場合に、前記ユーザは前記データ掲示装置の近くから発信したと判定する段階とを、有することを特徴としている。
また、上記の発信場所判定方法においては、前記発信場所を表す識別子として用いられる記号を生成し、前記発信データベースに発信場所を表す識別子として格納されている記号と前記表示されている記号の両者を、前記生成した記号に更新する段階を有することが好適である。
同じく、本発明による発信場所判定方法は、記号表示装置が表示した記号を、ユーザが携帯情報装置に入力し、前記携帯情報装置が前記入力された記号を付加して送信したデータにより、ユーザの発信場所を特定する段階を有することを特徴としている。
また、上記の発信場所判定方法においては、前記記号表示装置が表示する記号は逐次更新されることが好適である。
同じく、本発明による発信場所判定部は、任意の記号により表された発信場所を表す識別子を格納する発信場所データベースと、前記格納された識別子としての記号を携帯情報装置のデータ掲示装置または前記データ掲示装置が設置されている場所の近くに設置されている少なくとも一つの物体に表示する記号表示装置と、ユーザが携帯情報装置に入力することにより送信するデータに付加された前記記号表示装置に表示されている記号を前記送信されたデータから抽出し、前記抽出した記号と前記発信場所データベースに格納されている識別子とを照合し、一致すると判断された場合に、前記ユーザは前記物体の近くから発信したと判定する識別子照合手段とを、有することを特徴としている。
また、上記の発信場所判定部においては、前記発信場所を表す識別子として用いられる記号を生成し、前記発信データベースに発信場所を表す識別子として格納されている記号と前記記号表示装置に表示されている記号の両者を、前記生成した記号に更新する発信場所識別子更新装置を有することが好適である。
同じく、本発明による発信場所判定部は、記号表示装置が表示した記号を、ユーザが携帯情報装置に入力し、携帯情報装置が前記入力された記号を付加して送信したデータにより、ユーザの発信場所を特定する発信場所特定手段を有することを特徴としている。
また、上記の発信場所判定部においては、前記記号表示装置が掲示する記号は逐次更新されることが好適である。
あるいは、前述の発信場所判定方法における段階をコンピュータに実行させるためのプログラムを、前記段階で使用されるコンピュータが読み取り可能である記録媒体に記録したことを特徴としている。
【００５４】
【発明の実施の形態】
以下、本発明の実施の形態を図面を用いて説明する。
【００５５】
《実施形態例１》
図１は、本発明によるメッセージ交換システムの第１の実施形態例を示す図である。
【００５６】
図１のメッセージ交換システムは、有線ネットワーク１−２に接続されるデータ掲示装置１−１および無線基地局１−３−１，１−３−２と各無線基地局に無線通信路を介して接続される携帯情報装置１−４−１，１−４−２，１−４−３から構成される。
【００５７】
無線基地局１−３−１，１−３−２がカバーするサービスエリアは、メッセージ交換が許されるエリアと一致するものとする。各携帯情報装置１−４−１〜３は、ユーザが文字メッセージを入力する機能と前記入力されたメッセージを無線通信を用いて送信する機能とを有する。データ掲示装置１−１は、データを表示する表示装置１−１−１をもち、受信したデータを表示装置１−１−１に表示する機能を有する。
【００５８】
なお、上記では携帯情報装置から表示データ（テキスト等）が入力され、それをデータ掲示装置に表示することを前提としているが、携帯情報装置から音声等を送信し、データ掲示装置に音声出力装置（大型スピーカなど）を設置して出力することも可能である。
【００５９】
以下の図２、図３を用いて、本実施形態例によるメッセージ交換システムの説明を行なう。
【００６０】
携帯情報装置１−４−１は、ユーザから書き込むメッセージを獲得し（図２の２−１）、無線基地局１−３−１を介して前記書き込みメッセージをデータ掲示装置１−１へ送信し（図２の２−２）、処理を終了する。
【００６１】
データ掲示装置１−１は、まず、処理停止フラグが立つか（図３の３−１）、データの受信がある（図３の３−２）まで待機する。処理停止フラグが立った場合は処理を停止する（図３の３−１）。データを受信する（図３の３−２）と、受信データを書き込みメッセージとして表示装置１−１−１へ表示し（図３の３−３）、処理停止フラグが立つかデータの受信があるまで待機する状態へ遷移する。
【００６２】
前記データ掲示装置１−１は、ネットワーク接続機能をもつ市販のパーソナルコンピュータおよびそれに接続可能な表示装置（ディスプレイ、液晶プロジェクター等）により実現可能である。そのため携帯情報装置１−４−１〜３よりも高速にメッセージの表示が可能である。また、データ掲示装置１−１にメッセージが送信される都度、メッセージ交換システムのユーザがもつ携帯情報装置１−４−１〜３にメッセージを送信しないので、従来のシステムに比ベ、サービス制御装置に相当するデータ掲示装置１−１の負荷が大きく減少するため、受信したメッセージをより高速に表示することができる。よって、従来システムよりも書き込まれたメッセージをよりリアルタイム性高くユーザが見ることができるようになることは明らかである。また、携帯情報装置を持たない人も表示装置を見ることにより、書き込まれたメッセージを見ることができるので、より多くの人々がコミュニティ形成に参加可能となる。
【００６３】
なお、前記説明において、ユーザが入力するデータは文字メッセージのみに限られるものではなく、例えば携帯情報装置に接続されたデジタルカメラから入力されるような画像データであってもよい。
【００６４】
《実施形態例２》
図４は、本発明によるメッセージ交換システムの第２の実施形態例を示す図である。なお、前図と同一符号の要素は、前述の要素と同一の機能を有することを表している。
【００６５】
図４のメッセージ交換システムは、有線ネットワーク１−２に接続されるデータ掲示装置４−１および無線基地局１−３−１，１−３−２と各無線基地局１−３−１，１−３−２に無線回線を介して接続される携帯情報装置１−４−１，１−４−２，１−４−３から構成される。
【００６６】
データ掲示装置４−１は、表示装置１−１−１と、メッセージの発信場所により受信メッセージを表示するか否かを判定する発信場所判定部４−１−１と、前記受信したデータに含まれている表示用のデータを抽出する表示用データ抽出部４−１−２とを有する。
【００６７】
前記発信場所判定部４−１−１は、表示するデータの発信が許される場所であることを示す少なくとも１つの識別子を格納する発信場所データベース４−１−１−１と、データを送信してきた携帯情報装置の発信場所を特定する発信場所特定部４−１−１−２と、前記特定された場所を表す識別子と前記発信場所データベース４−１−１−１に格納されている識別子と照合する発信場所照合部４−１−１−３とを有する。データ掲示装置４−１は、前記特定された場所を表す識別子が前記発信場所データベース４−１−１−１に格納されているいずれかの識別子と一致すると判断した場合、前記表示用データ抽出部４−１−２により抽出したデータを表示装置１−１−１に表示する。
【００６８】
図５は、前記データ掲示装置４−１を説明するものである。データ掲示装置４−１は、発信場所判定部４−１−１を有することにより、メッセージの発信位置の特定ができるため、前記メッセージ交換システムでは、無線基地局１−３−１，１−３−２のサービスエリアがメッセージの書き込みが許される場所より大きくなってしまった場合でも、ある限られた場所に存在する人たちのみメッセージの交換ができるシステムを提供することが可能となる。
【００６９】
例えば、発信場所判定部４−１−１は以下のようにすることにより、実現可能である。今、データ掲示装置４−１の表示装置１−１−１が見える位置からのみメッセージの書き込みを可能にしたいとする。発信場所データベース４−１−１−１に例えば「１３８４９」という記号を予め格納しておく。「１３８４９」を表示装置１−１−１が見える位置にいる人からは見え、表示装置１−１−１が見えない位置にいる人からは見えない位置に掲示する。掲示の方法は、電光掲示板に「１３８４９」と表示したり、「１３８４９」とかかれているポスターを建物の壁に張り付けてもよい。表示装置１−１−１が見える位置にいるユーザは、表示されている「１３８４９」を携帯情報装置に入力し、携帯情報装置は前記入力された記号を送信するデータに発信場所識別子として付与してデータ掲示装置４−１に送信する。発信場所特定部４−１−１−２は、送信されたデータの中から発信場所識別子「１３８４９」を抽出する。発信場所照合部４−１−１−３は前記抽出された「１３８４９」と、発信場所データベース４−１−１−１内に格納されている「１３８４９」とを照合することによりメッセージの書き込みが許される表示装置１−１−１が見える位置から発信されたメッセージであることを判断できる。
【００７２】
本実施形態例では、掲示される記号が固定のものである場合、メッセージの書き込みが許されている人がメッセージの書き込みが許されないエリアに移動しても前記記号を知っているため、書き込みができてしまう。これは、前記記号を適宜生成し、前記発信場所データベース４−１−１−１に格納されている記号とユーザに見えるように表示されている記号の両者を、前記生成した記号に更新する発信場所識別子更新装置を本実施形態例のシステムに付与することにより解決できる。
【００７３】
このような実施形態例では、メッセージの書き込みができるエリアにいるユーザが、メッセージの書き込みができないエリアにいるユーザに前記記号（「１３８４９」等）を電話等で教えて、教えられたユーザがすぐにメッセージを送信した場合、メッセージの書き込みができないエリアにいるユーザでもメッセージの書き込みができてしまう可能性がある。これは、発信場所特定部４−１−１−２において携帯情報装置がメッセージを送信した時に前記携帯情報装置の周辺にあった無線基地局の情報を用いて前記携帯情報装置の位置をより厳密に求めることにより、解決できる。
なお、通常の携帯電話やＰＨＳシステムを使用する場合、通信開始時には、携帯情報装置からデータ掲示装置へ接続するための特定の番号を発信して接続することが考えられ、それを識別子として利用することも考えられる。
図１２は、表示するデータの発信が許される場所を表す識別子を緯度、経度を用いて表した場合の発信場所データベース４−１−１−１の例である。緯度、経度を用いて識別子を表した場合、発信場所データベース４−１−１−１に登録されている緯度、経度から一定距離内に含まれる緯度、経度は登録されている緯度、経度と一致するとみなしてもよい。
【００７４】
無線基地局情報を用いたユーザの位置の特定技術は、移動体通信事業者が提供しているサービスで既に実現されている。例えばＤＤＩ  ＰＯＣＫＥＴの位置情報コンテンツサービスでは、携帯情報装置から送られてくる前記携帯情報装置が認識している複数の無線基地局のＩＤと前記各無線基地局と前記携帯情報装置との間の電界強度から、前記無線基地局のＩＤに対応する位置と前記各電界強度を用いて前記携帯情報装置の位置を求めている。
【００７５】
また、前記携帯情報装置としてＧＰＳ（ｇｌｏｂａｌ  ｐｏｓｉｔｉｏｎｉｎｇ  ｓｙｓｔｅｍ）機能を搭載したものを用いて、携帯情報装置で求められた位置情報をデータ掲示装置ヘメッセージに付与して送信することによっても対処可能である。
【００７６】
《実施形態例３》
図６は、本発明によるメッセージ交換システムの第３の実施形態例を示す図である。なお、前図と同一符号の要素は、前述の要素と同一の機能を有することを表している。
【００７７】
図６のメッセージ交換システムは、有線ネットワーク１−２に接続されるデータ掲示装置６−１および無線基地局１−３−１，１−３−２と各無線基地局１−３−１，１−３−２に無線回線を介して接続される携帯情報装置６−２−１から構成される。
【００７８】
携帯情報装置６−２は、ユーザが当該ユーザに割り当てられているユーザ識別子を入力するためのユーザ識別子入力部６−２−１を有する。携帯情報装置６−２は、送信するデータにユーザが当該携帯情報装置に入力した当該ユーザに割り当てられているユーザ識別子を付与したのち、データ掲示装置６−１へ送信する。
【００７９】
データ掲示装置６−１は、データ掲示装置１−１において、表示用データ抽出部４−１−２とメッセージを発信したユーザにより受信メッセージを表示するか否かを判定する発信ユーザ判定部６−１−１を更に有する。発信ユーザ判定部６−１−１は、メッセージの書き込みが許されているユーザの識別子を格納するユーザデータベース６−１−１−１と、ユーザの特定を行なうユーザ特定部６−１−１−２と、前記特定されたユーザを表す識別子とユーザデータベース６−１−１−１に格納されている識別子と照合するユーザ照合部６−１−１−３とを有する。データ掲示装置６−１は、ユーザ特定部６−１−１−２により特定されたユーザ識別子がユーザデータベース６−１−１−１に格納されているいずれかの識別子と一致すると判断した場合、表示用データ抽出部４−１−２によって抽出されたデータを表示装置１−１−１に表示する。図７（ａ），（ｂ）は、前述の携帯情報装置６−２とデータ掲示装置６−１を説明するものである。
【００８０】
図１３は、ユーザ識別子を発信電話番号とした場合のユーザデータベース６−１−１−１の例である。ユーザ識別子は電話番号に限らず、コンピュータヘのログインに用いられるようなアルファベットや数字から構成される文字列を用いてもよい。
【００８１】
《実施形態例４》
図８は、本発明によるメッセージ交換システムの第４の実施形態例を示す図である。なお、前図と同一符号の要素は、前述の要素と同一の機能を有することを表している。
【００８２】
図８のメッセージ交換システムは、有線ネットワーク１−２に接続されるデータ掲示装置８−１および無線基地局１−３−１，１−３−２と各無線基地局１−３−１，１−３−２に無線回線を介して接続される携帯情報装置８−２から構成される。
【００８３】
携帯情報装置８−２は、ユーザの発信位置の特定に必要な情報とユーザが当該携帯情報装置に入力した当該ユーザに割り当てられているユーザ識別子とを送信するデータに付与したのち、データ掲示装置８−１へ送信する。
【００８４】
データ掲示装置８−１は、図４のデータ掲示装置４−１において、メッセージを発信したユーザにより受信メッセージを表示するか否かを判定する発信ユーザ判定部６−１−１を更に有する。データ掲示装置８−１は、発信場所特定部４−１−１−２によって特定された場所を表す識別子が発信場所データベース４−１−１−１に格納されたいずれかの識別子と一致すると判断され、かつ、ユーザ特定部８−１−１−１により特定されたユーザ識別子がユーザデータベース６−１−１−２に格納されているいずれかの識別子と一致すると判断した場合、表示用データ抽出部４−１−２によって抽出されたデータを表示装置１−１−１に表示する。図９は、前述のデータ掲示装置８−１を説明するものである。
【００８５】
なお、図９においてユーザの判定とユーザ位置の判定の順序はいずれが先でもよい。データ掲示装置８−１は、発信場所判定部４−１−１に加え、更にユーザ判定部６−１−１を有することによりメッセージを発信したユーザを特定できるため、メッセージの書き込みが許される位置にいる人の中で、特定のユーザのユーザのみメッセージの書き込みが行なえるようになる。これにより、予め会員登録してあるユーザのみメッセージの書き込みを行なえるようにすることが可能となる。
【００８６】
《実施形態例５》
図１０、図１１は、本発明によるメッセージ交換システムの第５の実施形態例を示す図である。なお、前図と同一符号の要素は、前述の要素と同一の機能を有することを表している。
【００８７】
図１０のメッセージ交換システムは、有線ネットワーク１−２に接続されるデータ掲示装置１０−１および無線基地局１−３−１，１−３−２と各無線基地局１−３−１，１−３−２に無線回線を介して接続される携帯情報装置６−２から構成される。
【００８８】
図１１のメッセージ交換システムは、有線ネットワーク１−２に接続されるデータ掲示装置１１−１および無線基地局１−３−１，１−３−２と各無線基地局１−３−１，１−３−２に無線回線を介して接続される携帯情報装置６−２から構成される。
【００８９】
データ掲示装置１０−１、データ掲示装置１１−１は表示用データを表示したのち、当該データを少なくとも当該データを送信したユーザのユーザ識別子と関連づけて記録に残すデータ記録部１０−１−１を有する。データ記録部１０−１−１を有することにより、そのユーザがどのようなメッセージを書き込んだかを特定でき、課金のためのデータとして利用できるようになる。また不適切な書き込みや嘘等の書き込みによりトラブルが発生した場合、そのメッセージの発信者を特定できるという利点がある。
【００９０】
なお、以上の実施形態例で述べた携帯情報装置において、ユーザがメッセージを表示させたいデータ掲示装置を指定する情報を携帯情報装置に入力し、前記指定されたデータ掲示装置へ携帯情報装置からデータを送信することをより、同じエリアで書き込みが許されるデータ掲示装置が複数存在する場合にも対応可能となる。
【００９１】
また、表示装置１−１−１に各メッセージを表示する際、表示エリアにメッセージを書き込むスペースがない場合、表示画面をスクロールさせながら空いたエリアに新たなメッセージを表示させていくことにより、ユーザはスムーズにメッセージを追えるようになり、また、どの程度の間隔でメッセージの書き込みが行なわれているかをユーザが直感的に把握できるようになる。
【００９２】
前記携帯情報装置が前記データ掲示装置に送信するデータに当該携帯情報装置の識別子を付与することにより、前記データ掲示装置はデータを送信してきた携帯情報装置の識別子を取得でき、前記携帯情報装置からのメッセージを受信後、メッセージに対する処理結果を表す信号を前記メッセージを送信してきた携帯情報装置に送信することが可能となる。これにより、ユーザは送信したメッセージが正常に処理されたどうかを把握することができるようになる。
【００９３】
前記説明における携帯情報装置は、無線通信が可能なノートパソコンやＰＤＡ（ｐｅｒｓｏｎａｌ  ｄｉｇｉｔａｌ  ａｓｓｉｓｔａｎｔｓ）、また、ユーザが入力した文字列の送信が可能な携帯電話やＰＨＳ、またノートパソコンやＰＤＡと携帯電話やＰＨＳの組合せ、により実現できる。携帯情報装置とデータ掲示装置間は移動体通信業者が提供する無線通信形態の他にも様々な無線通信形態を用いることができる。例えば、有線ネットワークに接続する無線基地局として、例えばＡｉｒｏｎｅｔ社のＡＰ４８００−Ｅを接続し、前記携帯情報装置側（ノートパソコン等）にアンテナと送受信器であるＡｉｒｏｎｅｔ社のＰＣカードＰＣ４８００を接続することにより、１０ｂａｓｅＴなどといった従来から利用されているＬＡＮを利用することができるとともに、近年、広く利用されているインターネットプロトコルに基づいたシステムの構築が可能となる。
【００９４】
ノートパソコンにＰＨＳや携帯電話を接続し、公衆電話網／データ通信網に接続されているダイヤルアップサーバを介してデータ掲示装置に接続されているネットワークに接続する形式をとることも可能である。
【００９５】
また、ノートパソコンにＰＨＳや携帯電話をつないでＩＳＰ（ｉｎｔｅｒｎｅｔ  ｓｅｒｖｉｃｅ  ｐｒｏｖｉｄｅｒ）にダイヤルアップ接続した後、Ｅ−ｍａｉｌやＷｅｂのｃｇｉ機能等を用いてノートパソコンからデータ掲示装置へ書き込みメッセージを送る形式によっても実現することもできる。
【００９６】
携帯情報装置をデータ送信機能を有する携帯電話（ＩＤＯ  プチメール対応機種）またはＰＨＳ（ＮＴＴドコモ  キャラメール対応機種）とすれば、携帯性に優れるという利点がある。
【００９７】
携帯情報装置をインターネット接続可能な携帯電話とすれば、ユーザにとって携帯性が優れた携帯情報装置を利用するシステムを提供できるのでユーザに大きな利便性あるとともに、インターネット上にシステムの構築が可能となる。この場合、いろいろな移動体通信事業者のユーザから利用できるため、より多くのユーザが利用できるようになるという利点がある。例えば、このような携帯電話としてｉ−ｍｏｄｅ（ＮＴＴドコモ）対応機種、ＥＺアクセス（ＩＤＯ）対応機種、ＥＺｗｅｂ（ＤＤＩ）対応機種、Ｊ−ＳＫＹ（Ｊ−フォン）対応機種のものを利用することができる。または、インターネットヘのメールの送信が可能なＰＨＳ（例：ＤＤＩ  Ｐｏｃｋｅｔ  ＰメールＤＸサービス対応機種、ＮＴＴドコモ
パルディオ  Ｅメール対応機種）であってもよい。
【００９８】
なお、図２、図３、図５、図７（ａ），（ｂ）、図９のフロー図で示した処理手順をコンピュータに実行させることができることは言うまでもなく、コンピュータにその処理手順を実行させるためのプログラムを、携帯情報装置の処理手順であれば携帯情報装置のコンピュータが読み取り可能な記録媒体、データ掲示装置の処理手順であればデータ掲示装置のコンピュータが読取可能な記録媒体、例えば、ＦＤ（フロッピー（登録商標）ディスク）や、ＭＯ、ＲＯＭ、メモリカード、ＣＤ、ＤＶＤ、リムーバブルディスクなどに記録して、保存し、提供し、配布することが可能である。
【００９９】
【発明の効果】
以上で明らかなように、本発明を人が多く集まる場所で利用すると、以下のような効果をもつ。
【０１００】
（１）近い距離にいる人がシステムを利用するので、すぐにユーザ同士で集まることができ、また、（２）自分の送信し出力したメッセージが周りに与える影響を感じることができ、満足感が得られるので、活発にメッセージの書き込み等の送信が行なわれ、また、（３）携帯情報装置をもたない人もメッセージを取得することができる、ことにより、より多くの出会いが発生する可能性があり、新しいコミュニティの形成が促進される可能がある。
【０１０１】
また、本発明を用いて、近くにあるお店の情報を提示させることは、お店の近くにいる人にお店を宣伝することである。本発明を利用している人々にちょっと立ちよってみようという気を起こさせることができる可能性があり、システムの近くにあるお店に対しては高い宣伝効果を提供できる可能性がある。
【０１０２】
更に、携帯情報装置をもっていない人もメッセージを取得することができるので、より多くの人に宣伝情報を取得してもらえる。更に、タイムセール開始の直前にタイムセールの情報を書き込む等、リアルタイムに宣伝情報を提示することができ、タイムリーな宣伝ができる。
【図面の簡単な説明】
【図１】本発明の第１の実施形態例を実現するための構成例を示す図
【図２】本発明の第１の実施形態例における携帯情報装置の処理フロー図
【図３】本発明の第１の実施形態例におけるデータ掲示装置の処理フロー図
【図４】本発明の第２の実施形態例を実現するための構成例を示す図
【図５】本発明の第２の実施形態例におけるデータ掲示装置の処理フロー図
【図６】本発明の第３の実施形態例を実現するための構成例を示す図
【図７】（ａ）は本発明の第３の実施形態例における携帯情報装置のフロー図、（ｂ）はそのデータ掲示装置の処理フロー図
【図８】本発明の第４の実施形態例を実現するための構成例を示す図
【図９】本発明の第４の実施形態例におけるデータ掲示装置の処理フロー図
【図１０】本発明の第５の実施形態例を実現するための第一の構成例を示す図
【図１１】本発明の第５の実施形態例を実現するための第二の構成例を示す図
【図１２】本発明の発信場所データベースの構成例を示す図
【図１３】本発明のユーザデータベースの構成例を示す図
【図１４】従来のメッセージ交換システムの構成例を示す図
【図１５】従来のメッセージ交換システムにおける利用者装置の処理フロー図
【図１６】従来のメッセージ交換システムにおけるサービス制御装置の処理フロー図
【符号の説明】
１−１…データ掲示装置
１−１−１…表示装置
１−２…有線ネットワーク
１−３−１，１−３−２…無線基地局
１−４−１，１−４−２，１−４−３…携帯情報装置
４−１…データ掲示装置
４−１−１…発信場所判定部
４−１−１−１…発信場所データベース
４−１−１−２…発信場所特定部
４−１−１−３…発信場所照合部
６−１…データ掲示装置
６−１−１…発信ユーザ判定部
６−１−１−１…ユーザデータベース
６−１−１−２…ユーザ特定部
６−１−１−３…ユーザ照合部
６−２…携帯情報装置
６−２−１…ユーザ識別子入力部
８−１…データ掲示装置
８−２…携帯情報装置
１０−１…データ掲示装置
１０−１−１…データ記録部
１１−１…データ掲示装置
【図１】
0003733006.tif 000002
【図２】
0003733006.tif 000003
【図３】
0003733006.tif 000004
【図４】
0003733006.tif 000005
【図５】
0003733006.tif 000006
【図６】
0003733006.tif 000007
【図７】
0003733006.tif 000008
【図８】
0003733006.tif 000009
【図９】
0003733006.tif 000010
【図１０】
0003733006.tif 000011
【図１１】
0003733006.tif 000012
【図１２】
0003733006.tif 000013
【図１３】
0003733006.tif 000014
【図１４】
0003733006.tif 000015
【図１５】
0003733006.tif 000016
【図１６】
0003733006.tif 000017